(57)【要約】      （修正有）【課題】大型、あるいは中型規模の入浴施設において、共同での入浴ではなく、プライベートな浴室を設け、親孝行もできる新規な入浴施設の構造を提供する。【解決手段】入浴施設において、浴室２と、該浴室に面した専用庭３と、浴室２に隣接する脱衣室４と、該脱衣室４に隣接するトイレ室５とが、１つの区画としたプライベート入浴施設１を、１又は複数箇所、設けたことを特徴とする入浴施設の構造であり、浴室２の床面、脱衣室４の床面、そしてトイレ室５の床面を、同一面に形成し、さらに、浴室２内には、低温浴槽と中温浴槽とを併設して設け、両浴槽２，３の縁部で、かつ両浴槽２，３の隣接する箇所に、ベンチ６を、浴槽の縁部と一体に設けた。【選択図】図１
0003170626.tif 000002
【実用新案登録請求の範囲】
【請求項１】
入浴施設において、浴室（２）と、該浴室に面した専用庭（３）と、前記浴室（２）に隣接する脱衣室（４）と、該脱衣室（４）に隣接するトイレ室（５）とが、１つの区画としたプライベート入浴施設（１）を、１又は複数箇所、設けたことを特徴とする入浴施設の構造。
【請求項２】
浴室（２）の床面、脱衣室（４）の床面、そしてトイレ（５）の床面を、同一面に形成したことを特徴とする請求項１記載の入浴施設の構造。
【請求項３】
浴室（２）内には、低温浴槽（２ａ）と中温浴槽（２ｂ）とを併設して設け、両浴槽（２，３）の縁部（３ｃ）で、かつ両浴槽（２，３）の隣接する箇所に、ベンチ（６）を、浴槽の縁部（３ｃ）と一体に設けたことを特徴とする請求項１記載の入浴施設の構造。
【考案の詳細な説明】
【技術分野】
【０００１】
この考案は、入浴施設の構造に関するものである。
【背景技術】
【０００２】
従来、我が国において、入浴施設は古くから存在しており、奈良の寺院には今でも浴堂が残っており、その当時、家々には浴室もなく、町湯もなく、寺院の施浴は宗教的な意味だけでなく、庶民にとって嬉しい施しであり、平安時代には京都の銭湯のはしりともいえる湯屋があり、現在に到っている。
【０００３】
特に、入浴施設における入浴の醍醐味は、他人を気にすることなく、一人か、あるいは家族どうしでの、のんぴりと景色でもみながら入浴することにある。
【０００４】
しかしながら、ホテルや旅館等の大風呂、公衆浴場や近年のスーパー銭湯では、見知らぬ人との入浴であり、気をつかったりして、決してリラックスできるものではなかった。  
【０００５】
そこで、他人との接触を避けたプライベートの浴場が見受けられる。例えば、特許文献１のように。
【０００６】
しかし、この技術は、プライバシーには配慮されているが、宿泊施設を伴う施設であり、身近な場所で、しかも、短時間で過ごせるような施設ではなかった。
【０００７】
また、移動可能な入浴施設ではあるが、２台のトレーラーハウスを用いた入浴施設が存在している。しかし、これは岩盤浴用の入浴施設に過ぎず、肩までお湯につかり、疲労をとるという施設ではなかった。例えば、特許文献２のように。
【先行技術文献】
【特許文献】
【０００８】
【特許文献１】特開２００５−２００８２８号公報
【特許文献２】登録第３１２８７４８号実用新案公報
【考案の概要】
【考案が解決しようとする課題】
【０００９】
そこで、考案が解決しようとする課題は、大型、あるいは中型規模の入浴施設において、共同での入浴ではなく、プライベートな浴室を設け、他人を気にすることなく、気軽に使用でき、また、親孝行もできる新規な入浴施設の構造を開発・提供することにある。
【課題を解決するための手段】
【００１０】
この考案による課題を解決するための手段としては、浴室をプライベートとすることはもちろん、脱衣室、トイレまでも一区画内に納め、しかも、入浴中に眺めて楽しめる庭までも、一区画内に納める入浴施設の構造としたものである。
【考案の効果】
【００１１】
この考案によると、浴室を専有するだけでなく、脱衣室、トイレ室も浴室と一体に形成されるため、他人を気にすることなく、入浴が楽しめ、しかも、浴槽からは専用の庭を眺めることができ、入浴におけるプライベートの空間を保持でき、リラックスできる等の極めて有益なる効果を奏する。
【００１２】
また、この考案によると、その他、脱衣室、トイレ室も専有することとなり、益々、寛ぐことができ、さらにリラックスできるものである。
【００１３】
また、浴槽の床面、脱衣室（４）の床面、そしてトイレ室（５）の床面を、同一面、即ち、バリヤフリーにしたことにより、歩行の困難な老人にとっても安全であり、安心して入浴できる。
【００１４】
さらに、浴室（２）内には、低温浴槽（２ａ）と中温浴槽（２ｂ）とを併設して設け、両浴槽（２，３）の縁部（３ｃ）で、かつ両浴槽（２，３）の隣接する箇所に、ベンチ（６）を、浴槽の縁部（３ｃ）と一体に設けたことにより、浴槽より出で、休憩するとか、庭を眺めるためのベンチ（６）を設けており、便利である。
【図面の簡単な説明】
【００１５】
【図１】この考案の一実施例を示す入浴施設の平面図である。
【図２】この考案の一実施例を示す入浴施設の断面を示す説明図である。
【考案を実施するための形態】
【００１６】
以下、この考案の好適な実施の形態について述べると、入浴施設において、プライベートで気楽に利用できる施設を設けたものであり、図１は、入浴施設の平面図であり、２区画のプライベート浴室と、３区画の家族風呂を示している。
【実施例】
【００１７】
そこで、この考案の一実施例を図１，図２に基づいて詳細に説明すると、大型、あるいは中型規模の入浴施設において、浴室（２）と、該浴室に面した専用庭（３）と、前記浴室（２）に隣接する脱衣室（４）と、該脱衣室（４）に隣接するトイレ室（５）とが、１つのブロックとなるプライベート浴室（１）を、１又は複数室設けたことを特徴とする入浴施設の構造から構成される。
【００１８】
そして、浴室（２）の床面、脱衣室（４）の床面、そしてトイレ室（５）の床面を、同一面、即ち，バリヤフリーとするものである。
【００１９】
さらに、浴室（２）内には、低温浴槽（２ａ）と中温浴槽（２ｂ）とを併設して設け、両浴槽（２，３）の縁部（３ｃ）で、かつ両浴槽（２，３）の隣接する箇所に、ベンチ（６）を、浴槽の縁部（３ｃ）と一体に設けたものである。
【００２０】
また、脱衣室（４）の入口には、施錠可能なドア（４ａ）、洗面台（４ｂ）、ソファー（４ｃ）、脱衣棚（４ｄ）を設けており、入口より一歩入ると、安心できるよう構成している。
【００２１】
さらに、トイレ室（５）の、便器（５ａ）付近には、手すり（５ｂ）を備えて、老人の安全を確保している。
【００２２】
そして、浴室（２）から、眺められる専用庭（３）は、植木等の植物はもちろん、自然石等をあしらい、リラックスできるよう構成している。
【００２３】
また、入浴施設内に、これらのプライベート浴室を、１又は複数箇所設けることにより、人を気にせずに、若者はもちろんのこと、老人にも安心して気楽に入浴を楽しんで貰うこともでき、親孝行となる施設である。
【産業上の利用可能性】
【００２４】
この考案の入浴施設の構造の技術を確立し、該技術を実施・販売することにより、産業上利用可能性があるものである。
【符号の説明】
【００２５】
１  プライベート浴室
２  浴室
２ａ  低温浴槽
２ｂ  中温浴槽
３  専用庭
４  脱衣室
４ａ  ドア
４ｂ  洗面台
４ｃ  ソファー
４ｄ  脱衣棚
５  トイレ室
５ａ  便器
５ｂ  手すり
６  ベンチ
【図１】
0003170626.tif 000003
【図２】
0003170626.tif 000004